(57)【要約】      （修正有）【課題】開口と透明板とを有し景観や安全の面で好ましく、また、夜になっても人々に圧迫感を与えない防潮壁を提供する。【解決手段】防潮壁１は、厚さ方向に壁２を貫通する開口３が設けられ、開口に透明板１０が取り付けられている。透明板として、光が照射されることにより一部または全部が発光する板を取り付けている。透明板は、バインダー樹脂を含む光透過性材料と光透過性材料中に拡散された光反射物質の粒子とを有する樹脂組成物を、発光層として表面に有し、発光することで図や文字等を表示する。【選択図】図１
0003219946.tif 000002
【実用新案登録請求の範囲】
【請求項１】
厚さ方向に壁を貫通する開口が設けられていて、その開口に透明板が取り付けられた透明板付き防潮壁であって、
上記透明板として、光を照射されることにより発光するものが取り付けられていることを特徴とする透明板付き防潮壁。
【請求項２】
上記透明板が、バインダー樹脂を含む光透過性材料とその光透過性材料中に拡散された光反射物質の粒子とを有する樹脂組成物を、表面または内部の接合面に有するものであることを特徴とする請求項１に記載した透明板付き防潮壁。
【請求項３】
上記樹脂組成物が、発光することによって図もしくは文字またはそれらの結合を表示するよう配置されていることを特徴とする請求項２に記載した透明板付き防潮壁。
【請求項４】
上記樹脂組成物が着色剤を含むものであることを特徴とする請求項２または３に記載した透明板付き防潮壁。
【請求項５】
上記透明板が、その縁部が金属製の枠内に挿入され、拘束手段によってその縁部が当該枠の内側に解除可能に拘束され、かつ、外周の端部に光源を取り付けられた状態で、上記壁の開口に取り付けられていることを特徴とする請求項１〜４のいずれかに記載した透明板付き防潮壁。
【考案の詳細な説明】
【技術分野】
【０００１】
本考案は、厚さ方向に壁を貫通する開口を有していてその開口に透明板（または半透明板）が取り付けられている透明板付き防潮壁（淡水用の防水壁を含む）に関するものである。
【背景技術】
【０００２】
津波や高潮、洪水等で浸水のおそれがある地域では、海や川に防潮壁を築いて水の浸入等を防止することが広く行われている。防潮壁は、一般的にはコンクリート等で形成されるが、コンクリートのみだと景観にすぐれないうえ、水位の上昇時等にも、防潮壁を通して海や河川等の様子を知ることができない。そこで、下記の特許文献１・２では、一部に壁を貫通する開口を設けたうえその開口にアクリル等の透明板を取り付ける構造の、透明板付き防潮壁が提案されている。
【先行技術文献】
【特許文献】
【０００３】
【特許文献１】特開２００８−２０８６８１号公報
【特許文献２】特許第５２５４９４４号公報
【考案の概要】
【考案が解決しようとする課題】
【０００４】
防潮壁に上記のように透明板を設けると、陸側から海や河川や湖沼等を眺めることができるため、景観に関して好ましい。また、津波、高潮、洪水等によって水位が上昇したとき等に、防潮壁を通して海や河川等の様子を知ることができ、警戒のレベルを把握したり避難準備をしたりすることが容易であるなど、安全面でも有利である。防潮壁に囲まれて過ごす人にとって、コンクリートの壁による圧迫感を和らげられるという利点もある。
【０００５】
しかし、防潮壁に透明板を設けたとしても、夜になると、陸側から海などを眺めることは難しく、また、透明板の付近を含めて防潮壁の全体が暗くなってしまう。そのため、夜間には、防潮壁が大きな暗い壁となって住民等に心理的圧迫をもたらしがちである。
【０００６】
本願請求項に係る考案は、上記の点を考慮してなしたもので、景観や安全の面で好ましいうえ、夜になっても人々に圧迫感を与えない防潮壁を提供するものである。
【課題を解決するための手段】
【０００７】
考案による透明板付き防潮壁は、厚さ方向に壁を貫通する開口が設けられていて、その開口に透明板が取り付けられた透明板付き防潮壁であって、上記の透明板として、光を照射されることにより一部または全部が発光するものが取り付けられていることを特徴とする。図１の防潮壁はその一例であり、日没後に透明板に光を照射することによって透明板が図２のように発光する。
このような防潮壁であれば、開口に透明板が取り付けられているため景観面・安全面において好ましいうえ、夜間には、透明板を発光させることができるために防潮壁を明るくすることができる。夜間に透明板付近を明るくすることができる防潮壁は、全体が暗い防潮壁とは印象が大きく異なり、人が和みや安らぎをもって近づくことを可能にする。しかも、通常の照明設備で付近を明るくするのではなく透明板自体（透明板の表面または内部と一体にされた部分など）を発光させることから、人々の関心を集めることができ、したがって地域の活性化や観光事業の振興にも役立たせることができる。
なお、透明板の素材としては、透明性が高く十分な機械的強度と耐候性を有するものを使用できる。たとえば、透明なガラス（強化ガラス板を含む）、アクリル樹脂、塩化ビニル樹脂、ポリエステル樹脂、ウレタン樹脂、ポリカーボネート樹脂、オレフィン樹脂、ポリエチレンテレフタレート樹脂等の透明な樹脂材料を用いることができる。半透明なものであってもよい。そのような透明板が複数枚積層された透明板（合わせガラスなど）、または積層された板の間に強化用のメッシュ（網）がはさまれている透明板を使用するのもよい。透明板の表面（発光層が形成される面も含む）には、反射防止効果、防汚効果、防曇効果、硬質保護効果を付与するような各種コーティングがなされているのもよい。そのような透明板であって、光を照射されることにより発光する材料を含むものを、上記の防潮壁に使用する。
【０００８】
上記透明板が、バインダー樹脂を含む光透過性材料とその光透過性材料中に拡散された光反射物質の粒子とを有する樹脂組成物を、表面または内部の接合面（合わせガラスのように複数枚の透明板が一体に積層されている場合の、隣接する透明板と接する面）に有するものであると好ましい。とくに、そのような透明板（発光媒体）として、特開２０１８−６３４１４号公報（出願人は住化アクリル販売株式会社等）に記載されているものを使用するのがよい。図２等に例示する防潮壁も、上記の樹脂組成物を含むドットからなる発光領域を発光層として有する透明板（住化アクリル販売株式会社による「シースルー導光板」）を使用している（図４参照）。
上記のような透明板を使用すると、透明性に優れるとともに色温度のムラが抑制された均一な発光をさせることができる。とくに、当該公報に記載されているように、光反射物質の粒子の個数平均粒径を適切に（０．８μｍ以上・２μｍ以下に）設定すると、透明性の点でも、色温度の均一性の点でも有利である。なお、ドットによって発光領域（発光パターン）を形成することは、シルクスクリーン印刷法によって容易に行うことができる。
【０００９】
そして上記の樹脂組成物が、発光することによって図（絵柄・模様・記号を含む）もしくは文字またはそれらの結合を表示するよう配置されているとよい。図２に例示する防潮壁も、発光領域が魚等の図を表示している。
樹脂組成物による発光領域が透明板の全面に広がっていて一様なものである場合、防潮壁のその透明板付近を明るくすることはできるが、それは、透明板が単なる照明手段的な役割を果たすにすぎない。しかし、上記のように、図や文字等を表示するものとして樹脂組成物が発光するなら、防潮壁が人々の関心を引く度合いが高まり、それを利用して地域の活性化等を進めるうえで有利である。
【００１０】
また、上記樹脂組成物が着色剤を含むものであるとさらに好ましい。着色剤としては顔料または染料を使用することができる。
上記のドット内に着色剤を含めると、光の照射によって発光領域を有色に発光させることができる。それによってカラフルな発光をさせると、人の心を明るくして引き付けることができるため、地域活性化や観光振興等の点でさらに有利である。
【００１１】
上記透明板が、その縁部（の一部または全域）が金属製の枠内に挿入され、拘束手段によってその縁部が当該枠の内側に解除可能に拘束され、かつ、外周の端部（の一部または全域）に光源を取り付けられた状態で、上記壁の開口に取り付けられていると好ましい。
図３・図４に例示する防潮壁１においても、透明板１０は、縁部を枠２０の内側に挿入し、拘束手段２３によって縁部を枠２０内に拘束し、外周の端部（透明板１０の上辺）に光源３０を取り付けた状態で、壁２の開口３に取り付けられている。
金属製の上記の枠としては、透明板の縁部を挿入できる溝形断面を有するものを使用する。その枠は、溝形をした一体の金属材であってもよく、図４に示す枠２０のようにＬ形断面の金属材を組み合わせて形成する枠であってもよい。上記の拘束手段としては、透明板の厚さ方向の寸法を変更できる物を使用するとよい。たとえば、透明板の外縁部と上記の枠との間に、打込み量を変化させて打ち込むことのできる楔（くさび）や、スクリュー式または流体圧式のジャッキ状の物、あるいは流体を充填されて膨らむ袋状の物などが拘束手段として使用可能である。そのような拘束手段の端面間の寸法を増すことによって透明板の外縁部を枠内に強く挟み付けて拘束でき、逆に寸法を縮めることにより、その外縁部に対する拘束を解除できる。また上記の光源としては、たとえば複数のＬＥＤが直線状に配置されたものを使用するとよい。
透明板が上記のように枠や拘束手段を用いて防潮壁に取り付けられていると、拘束手段等を操作して透明板の挟み付けを解除すること等によって、透明板を交換することが容易になる。透明板は、長期の使用によって透明度が低下しがちである。また、上記樹脂組成物の変質や剥離等によって発光性能が低下し得るほか、発光させて表示する図や文字等のコンテンツを変更することもあるため、透明板は交換可能であることが望ましい。防潮壁のコンクリート等に透明板が直接に取り付けられていると交換は難しいが、上記のとおり枠等を用いて取り付けられているなら、透明板の交換は容易である。透明板の交換ができると、防潮壁を、常に眺望がクリアであるとともに人の興味を引き付ける発光表示を含むものに保つことができる。
【考案の効果】
【００１２】
考案の透明板付き防潮壁は、陸側から海や河川や湖沼等を眺めることができるため景観や安全の面で好ましいうえ、夜間には、透明板を発光させることによって明るくなり、従来のような暗さや威圧感の少ない、人が近づきやすいものとなる。また、人々の関心を集めるうえ気持を明るくさせる作用もあるため、地域の活性化や観光事業の振興にも役立つと期待できる。
透明板の発光領域に使用する組成物や当該領域に含有させる光反射物質の粒子の径を適切に設定すると、透明性に優れるとともに均一な発光をさせることができる。図や文字を発光させて表示したり、着色剤を含めて有色の発光をさせたりするのも好ましい。
また、透明板の縁部を金属製の枠内に挿入し同枠内に拘束するとともに外周の端部に光源を取り付けておくと、透明板を交換することが容易になるため、その透明度を維持するとともに発光による表示内容を新鮮にすることが可能である。
【図面の簡単な説明】
【００１３】
【図１】考案の実施形態を示す図面であり、透明板付き防潮壁１の正面図である。
【図２】図１の防潮壁１について、透明板１０が発光して図を表示している夜間の状態を示す正面図である。
【図３】図３（ａ）は、図１の防潮壁１における透明板１０を含む水平断面図、図３（ｂ）は、図１の防潮壁１における透明板１０を含む鉛直断面図である。
【図４】図４（ａ）は、図３（ｂ）におけるIVa部拡大図、図４（ｂ）は図３（ａ）・（ｂ）におけるIVb部拡大図、図４（ｃ）は図４（ａ）・（ｂ）におけるＣ部拡大図である。
【考案を実施するための形態】
【００１４】
考案の実施に関する一形態を図１〜図４に示す。各図には、コンクリート製の壁２に、その壁２を厚さ方向に貫通する開口３を一定間隔で設けるとともに、それぞれの開口３に透明板１０を取り付けてなる、透明板付き防潮壁１を示している。図示のような防潮壁１は、津波や高潮等による浸水を防止すべく、海岸や河川に沿って設けるものである。
【００１５】
図１に示す透明板付き防潮壁１は、透明板１０として、表面に特殊な樹脂組成物の層（発光層）を有するもの取り付けている。その透明板１０に側部から光を照射すると、当該樹脂組成物が発光し、たとえば図２のような魚の絵柄やその他の図・文字等を透明板１０上に明るく表示させることができる。その表示は、透明板１０の表裏いずれの面からも観察することができる。
【００１６】
図１・図２に示す防潮壁１について、透明板１０を通る水平断面図と鉛直断面図とをそれぞれ図３（ａ）・（ｂ）に示す。コンクリート製の壁２の開口３に、海寄りに広く陸側に狭くなった段差部分を形成し、その段差部分の海寄りの位置に透明板１０を取り付けている。水圧を受けるときの透明板１０を、当該段差部分のコンクリートで支えるためである。また、この例では、透明板１０として、透明性や耐候性・耐衝撃性に優れるアクリル樹脂板を使用している。
【００１７】
透明板１０は、壁２のコンクリート内に直接取り付けるのではなく、金属製の枠２０等を介して取り付けている。コンクリート内に直接埋め込む形で取り付けると、傷が付いたりして透明板１０の透明度が低下したときや発光による表示を変更するとき等に、透明板１０を交換することが容易でないからである。
【００１８】
枠２０等を介して透明板１０を取り付けることに関する詳細は、図４（ａ）・（ｂ）に示している（それら（ａ）・（ｂ）は、後述する光源３０の有無を除いて同一である）。すなわち、透明板１０の全周縁部を、内側に溝を有する金属製の枠２０の内側に挿入し、その縁部を、やはり枠２０の内側に挿入した拘束手段２３によって枠２０内に拘束・固定している。図示の例では、拘束手段２３として、簡易の手動型スクリュー式ジャッキ、すなわち雄ネジ部材（ボルト部材）と雌ネジ部材（ナット部材）とをネジ結合させてはめ付けた物を使用している。そのような拘束手段２３では、ネジを回して両端面の間の寸法を増すことにより透明板１０の外縁部を強く挟み付けて拘束することができ、逆に端面間の寸法を縮めることにより、外縁部に対する拘束を解除することができる。
【００１９】
金属製の枠２０は、Ｌ形断面を有する一対の枠片２１・２２を結合させたものである。一方の枠片２１は、壁２の開口３の段差部分に添わせて配置し、一部の突出部をコンクリート内に埋め込んでいる。他方の枠片２２は、上記の枠片２１との間に溝が形成されるように向き合わせたうえ、留めネジ２１ａを用いて上記の枠片２１と結合させている。
【００２０】
透明板１０の縁部には、直接に拘束手段２３を接触させるのではなく、表裏両側の表面にライナー板２４を重ねている。ライナー板２４としては、樹脂やゴム、軟鋼などでできたものを使用する。これにより、透明板１０の縁部が局部的に高い圧力（拘束力）を受けて欠損等することを防止している。
【００２１】
また、枠２０の内側には、その溝を覆うようにシール材（パッキン）２５を取り付けている。枠２０の内側部分に雨水や海水等が到達することを防いで、拘束手段２３や留めネジ２１ａ等が腐食するのを防止するためである。
【００２２】
透明板１０の周囲４辺のうち水平に延びる上辺に限っては、図４（ａ）のように端部に光源３０を取り付けている。光源３０は、複数のＬＥＤを直線状に取付枠内に配置したもので、その取付枠とともに透明板１０の上辺端部に取り付けている。
【００２３】
図４（ｃ）に示すように、透明板１０の一方の面（海側表面）には発光層１１を設けている。発光層１１は、バインダー樹脂および溶剤を含む光透過性材料とその光透過性材料中に拡散された光反射物質の粒子とを有する樹脂組成物を、シルクスクリーン印刷法を用いてドットパターンによる図２のような絵柄にし、透明板１０の表面に付着・一体化させたものである。たとえば、光透過性材料としてアクリル樹脂を、光反射物質として酸化チタン粒子を使用するとよい。光反射物質の粒子の個数平均粒径を０．８μｍ以上・２μｍ以下に設定すると、透明性が高く、かつ発光時の色温度の均一性にすぐれる（光源に近い位置と遠い位置とで色ムラが生じにくい）ものとなる。図示の例では、上記のような樹脂組成物にて発光層を形成する、住化アクリル販売株式会社による「シースルー導光板」を透明板１０として使用している。
【００２４】
以上の構成を有する防潮壁１において、夜間等に光源３０を点灯すると、照射光が透明板１０内を通って発光層１１に達し、その発光層１１が発光することによって、透明板１０においてたとえば図２に示す図や文字が発光する。
【００２５】
発光層１１の色温度等が十分に均一であれば、光源３０は上記のように透明板１０の上辺１辺のみに設ければよいが、均一性が十分でない場合等には、光源３０を、左右いずれかの（つまり長辺側の）端部に設けたり、複数の辺に沿って（または透明板１０の全周域に）設けたりするとよい。
また、発光層１１について耐候性が十分でないとか、悪戯されて剥がされる恐れがあるといった場合には、透明板１０を、合わせガラスのような複数枚の積層によるものにするとよい。積層された内側、すなわち合わせ面の間に発光層１１を設けるようにすると、発光層１１の耐久性が向上して有利である。
【符号の説明】
【００２６】
１  透明板付き防潮壁
２  壁
３  開口
１０  透明板
１１  発光層
２０  枠
２３  拘束手段
３０  光源
【図１】
0003219946.tif 000003
【図２】
0003219946.tif 000004
【図３】
0003219946.tif 000005
【図４】
0003219946.tif 000006